(57)【要約】【課題】作業時間が短縮され、鋼材をスクラップにすることなく再利用可能で経済的であり、素人の作業者でも対応できる海底ケーブル敷設船用仮設ケーブルタンクを提供する。【解決手段】船底１１に配置される内側ガイド枠１２と外側ガイド枠１３との間に海底ケーブル１４が巻かれて順次積層される海底ケーブル敷設船用仮設ケーブルタンク１０において、外側ガイド枠１３は、個々に分離可能な分割片３４を、リング状に組合わせた最下部のリング状枠部材３４ａと、リング状枠部材３４ａに所定間隔で立設された外柱部材３５と、隣り合う外柱部材３５を連結する連結部材３６とを備え、各外柱部材３５の最下部には分割片３４の一つが溶接され、かつ中間部には連結部材３６をねじ結合する継手部材３７が設けられ、各部材は貨物用コンテナーで輸送可能な寸法に分割可能で、かつねじ結合である。【選択図】　　　　図１
2004040961.tif 000002
【特許請求の範囲】
【請求項１】
船底の中央に配置された筒状の内側ガイド枠と、該内側ガイド枠に対して同心状に前記船底に設けられた筒状の外側ガイド枠とを備え、前記内側ガイド枠と前記外側ガイド枠との間に海底ケーブルが前記船底から巻かれて順次積層される海底ケーブル敷設船用仮設ケーブルタンクにおいて、
前記内側ガイド枠は、複数本の内柱部材と、これらを連結する複数段の内水平部材とを有し、上部に作業デッキが設けられ、
前記外側ガイド枠は、個々に分離可能で、それぞれが貨物用コンテナーに輸送可能な大きさに形成された分割片を、リング状に組合わせた最下部のリング状枠部材と、該リング状枠部材に所定間隔で立設された外柱部材と、隣り合う前記外柱部材を連結する連結部材とを備え、
前記各外柱部材の最下部には前記分割片の一つが溶接され、かつ中間部には前記連結部材をねじ結合する継手部材が設けられ、
前記分割片が溶接された前記外柱部材及び前記内側ガイド枠はそれぞれ前記貨物用コンテナーで輸送可能な寸法に分割可能となって、最終的には前記内側ガイド枠及び前記外側ガイド枠がねじ結合により組立可能になっていることを特徴とする海底ケーブル敷設船用仮設ケーブルタンク。
【請求項２】
請求項１記載の海底ケーブル敷設船用仮設ケーブルタンクにおいて、前記内側ガイド枠は、縦方向に複数に分割され、その接合部は内側にのみ突出する第１のフランジでねじ結合され、しかも、前記各内柱部材は角部が円弧状の角パイプ又は丸パイプからなっていることを特徴とする海底ケーブル敷設船用仮設ケーブルタンク。
【請求項３】
請求項１及び２のいずれか１項に記載の海底ケーブル敷設船用仮設ケーブルタンクにおいて、前記外柱部材は上下に分割され、その接合部は外側にのみ突出する第２のフランジでねじ結合されていることを特徴とする海底ケーブル敷設船用仮設ケーブルタンク。
【請求項４】
請求項１〜３のいずれか１項に記載の海底ケーブル敷設船用仮設ケーブルタンクにおいて、前記外側ガイド枠の外柱部材は１０本以上あって、１本以上の前記外柱部材及び対応する前記連結部材を欠落してタンク半径を減じることを特徴とする海底ケーブル敷設船用仮設ケーブルタンク。
【請求項５】
請求項１〜４のいずれか１項に記載の海底ケーブル敷設船用仮設ケーブルタンクにおいて、隣り合う前記各外柱部材の最下部に溶接されている前記分割片の間には別の分割片が配置され、それぞれ繋ぎ板を介してねじ結合されていることを特徴とする海底ケーブル敷設船用仮設ケーブルタンク。
【請求項６】
請求項１〜５のいずれか１項に記載の海底ケーブル敷設船用仮設ケーブルタンクにおいて、前記外側ガイド枠には前記海底ケーブルの取り出しをガイドするケーブルラックが設けられていることを特徴とする海底ケーブル敷設船用仮設ケーブルタンク。
【発明の詳細な説明】
【０００１】
【発明の属する技術分野】
本発明は、海底ケーブル敷設船の船底に設けられ、海底ケーブルの取込み及び取り出しを行う、再使用可能及びコンテナー輸送可能に分割され、組立可能な海底ケーブル敷設船用仮設ケーブルタンクに関する。
【０００２】
【従来の技術】
従来、海底ケーブル（光ケーブルとも呼び、一例として、ケーブル長さが１０００〜４０００ｋｍ、ケーブル重量が最大２０００トン程度）の敷設においては、海底ケーブル敷設船の船底に設けられた仮設ケーブルタンク（ケーブル巻取枠は、一例として、内径１５ｍ）が使用されている。仮設ケーブルタンクは船型（船倉の型）に合わせて主として溶接構造で構成され、しかもオーダーメイドで製作されている。なお、海底ケーブル敷設船として、専用船を使用する場合と一般の貨物船を使用する場合がある。
【０００３】
【発明が解決しようとする課題】
しかしながら、前記従来の海底ケーブル敷設船用仮設ケーブルタンクにおいては、未だ解決すべき以下のような問題があった。
コストの安価な一般の貨物船（傭船）を手配すると、船型や大きさ（仮設ケーブルタンクの容量）が傭船毎に異なるため、仮設ケーブルタンクを船底に溶接する構造では、溶接作業時間がかかり、短期間の船積み時間に制約されるという問題があった。
また、溶接構造であるため、海底ケーブル取込み前及び敷設後の組立部材の組立溶接作業又は切断作業が必要となると共に、使い捨てとしているので、鋼材のスクラップ化により不経済であるという問題もあった。
さらに、組立溶接作業及び解体作業においては、所要の資格を備えた作業者が必要となるという問題もあった。
【０００４】
本発明はこのような事情に鑑みてなされたもので、作業時間が短縮され、鋼材をスクラップにすることなく再利用可能で経済的であり、素人の作業者でも対応できる海底ケーブル敷設船用仮設ケーブルタンクを提供することを目的とする。
【０００５】
【課題を解決するための手段】
前記目的に沿う本発明に係る海底ケーブル敷設船用仮設ケーブルタンクは、船底の中央に配置された筒状の内側ガイド枠と、内側ガイド枠に対して同心状に船底に設けられた筒状の外側ガイド枠とを備え、内側ガイド枠と外側ガイド枠との間に海底ケーブルが船底から巻かれて順次積層される海底ケーブル敷設船用仮設ケーブルタンクにおいて、内側ガイド枠は、複数本の内柱部材と、これらを連結する複数段の内水平部材とを有し、上部に作業デッキが設けられ、外側ガイド枠は、個々に分離可能で、それぞれが貨物用コンテナーに輸送可能な大きさに形成された分割片を、リング状に組合わせた最下部のリング状枠部材と、リング状枠部材に所定間隔で立設された外柱部材と、隣り合う外柱部材を連結する連結部材とを備え、各外柱部材の最下部には分割片の一つが溶接され、かつ中間部には連結部材をねじ結合する継手部材が設けられ、分割片が溶接された外柱部材及び内側ガイド枠はそれぞれ貨物用コンテナーで輸送可能な寸法に分割可能となって、最終的には内側ガイド枠及び外側ガイド枠がねじ結合により組立可能になっている。これによって、貨物用コンテナーに輸送可能な大きさに形成された各部材をねじ結合により組立てて使用でき、使用後はねじ結合を解除して再び貨物用コンテナーにより輸送して搬送し、再使用ができる。
【０００６】
本発明に係る海底ケーブル敷設船用仮設ケーブルタンクにおいて、内側ガイド枠は、縦方向に複数に分割され、その接合部は内側にのみ突出する第１のフランジでねじ結合され、しかも、各内柱部材は角部が円弧状の角パイプ又は丸パイプからなるよう構成することもできる。これによって、船内に搬入前に内側ガイド枠の地組ができ、また、使用後、船内から搬出して地上にて解体することができる。
本発明に係る海底ケーブル敷設船用仮設ケーブルタンクにおいて、外柱部材は上下に分割され、その接合部は外側にのみ突出する第２のフランジでねじ結合することもできる。これによって、タンク高さを調整することができる。
【０００７】
本発明に係る海底ケーブル敷設船用仮設ケーブルタンクにおいて、外側ガイド枠の外柱部材は１０本以上あって、１本以上の外柱部材及び対応する連結部材を欠落してタンク半径を減じることもできる。これによって、タンク半径を調整することができる。
本発明に係る海底ケーブル敷設船用仮設ケーブルタンクにおいて、隣り合う各外柱部材の最下部に溶接されている分割片の間には別の分割片が配置され、それぞれ繋ぎ板を介してねじ結合することもできる。これによって、外柱部材１本当たりのリング状枠部材の径を大きくすることができる。
本発明に係る海底ケーブル敷設船用仮設ケーブルタンクにおいて、外側ガイド枠には海底ケーブルの取り出しをガイドするケーブルラックを設けることもできる。これによって、海底ケーブルの取り出し作業が容易となる。
【０００８】
【発明の実施の形態】
続いて、添付した図面を参照しつつ、本発明を具体化した実施の形態につき説明し、本発明の理解に供する。
ここに、図１は本発明の一実施の形態に係る海底ケーブル敷設船用仮設ケーブルタンクの一部省略平面図、図２は同海底ケーブル敷設船用仮設ケーブルタンクの正面図、図３（Ａ）、（Ｂ）はそれぞれ、本発明の一実施の形態に係る海底ケーブル敷設船用仮設ケーブルタンクの内側ガイド枠の正面図、平断面図、図４は図２のａ部拡大図、図５は図２の矢視Ａ−Ａ断面図、図６は図４の矢視Ｂ−Ｂ断面図、図７は図６の矢視Ｃ−Ｃ断面図、図８は図４の矢視Ｄ−Ｄ断面図、図９は図４のｂ部詳細図、図１０は図４の矢視Ｅ−Ｅ断面図、図１１は図４の矢視Ｆ−Ｆ断面図、図１２（Ａ）、（Ｂ）はそれぞれ、同海底ケーブル敷設船用仮設ケーブルタンクのケーブルラックの平面図、側面図、図１３は同海底ケーブル敷設船用仮設ケーブルタンクの外側ガイド枠の外柱部材を欠落した場合とのタンク半径を比較した説明図である。
【０００９】
図１及び図２に示すように、本発明の一実施の形態に係る海底ケーブル敷設船用仮設ケーブルタンク１０は、海底ケーブル敷設船の船底１１の中央に配置された筒状の内側ガイド枠１２と、内側ガイド枠１２に対して同心状に船底１１に設けられた筒状の外側ガイド枠１３とを備え、内側ガイド枠１２と外側ガイド枠１３との間に海底ケーブル１４が船底１１から巻かれて順次積層されるように構成されている。以下、これらについて詳しく説明する。
【００１０】
図３（Ａ）、（Ｂ）に示すように、内側ガイド枠１２は下側の枠本体１２ａと、枠本体１２ａの上に設けられた作業デッキ１２ｂからなり、枠本体１２ａ及び　作業デッキ１２ｂとも位置をずらして縦方向に複数（本実施の形態では４つ）に分割されている。枠本体１２ａは４つの分割体１５〜１８を筒状に組み合わせて形成されている。分割体１５（１６〜１８も同じ）の上端部と下端部にはそれぞれ、略（１／４）円弧の角パイプからなる上、下水平部材１９、２０が設けられ、上、下水平部材１９、２０の両端部の接合部には、内側にのみ突出する第１のフランジ２１、２２が取付けられている。それぞれの上、下水平部材１９、２０間の水平方向の中間位置には、周方向に所定の間隔Ｌを開けて角部が円弧状の角パイプからなる内柱部材２３、２４が垂直に設けられている。
【００１１】
さらに、図３（Ａ）、（Ｂ）に示すように、枠本体１２ａの高さ方向の中間位置の２箇所には、円弧状の角パイプからなる内水平部材２５〜２７が２段に取付けられており、内水平部材２５、２７の先端（平面視して、第１のフランジ２１、２２と重合する位置）には内側にのみ突出する第１のフランジ２８、２９が取付けられている。かかる構成によって、隣り合う分割体１５〜１８の第１のフランジ２１、２２及び第１のフランジ２８、２９をボルト及びナットを介してねじ結合することができる。なお、隣り合う分割体１５〜１８を結合して組み立てた状態で、上水平部材１９のレベルにおいて、対向する上水平部材１９同士を連結するため、ねじ結合により取付け、取外し可能なブレス材３０、３１が上水平部材１９の内側に直交して設けられている。なお、下水平部材２０及び２段の内水平部材２５〜２７も同様に、直交するブレス材が取付け、取外し可能に設けられている。
【００１２】
図３（Ａ）、（Ｂ）に示すように、隣り合う分割体１５〜１８を結合して組み立てた状態の上面には、上水平部材１９の上部に着脱可能な略（１／４）円弧状の４個の手摺り３２及び略（１／４）円状の４枚の分割デッキ３３が円形に配置されており、４枚の分割デッキ３３により作業デッキ１２ｂが構成されている。さらに、各手摺り３２には、図に示すように、パイプからなる垂直、水平部材や、垂直部材間を連結する棒材からなる水平部材が設けられている。
【００１３】
図１、図２及び図４〜図７に示すように、外側ガイド枠１３は、個々に分離可能で、それぞれが貨物用コンテナー（コンテナー扉寸法は２２８６ｍｍ）に輸送可能な大きさに形成されたＨ形鋼からなる分割片３４（本実施の形態では、円周を６４等分した長さとなっている）をリング状に組合わせた最下部のリング状枠部材３４ａと、リング状枠部材３４ａに周方向に所定の間隔Ｈ（円周を３２等分した距離）で立設された下側外柱部材３５と、隣り合う下側外柱部材３５を連結する３段に配置された連結部材３６とを備えている。各下側外柱部材３５の最下部は別の分割片３４を間に挟んで一つおきに配置された分割片３４と溶接されており、かつ下側外柱部材３５の高さ方向の中間位置には、円周方向両側で連結部材３６をねじ結合するための継手部材３７が設けられている。
【００１４】
図６及び図７において詳細に示すように、矩形板状の継手部材３７は、中間部が下側外柱部材３５である角パイプ内及び下側外柱部材３５の周方向の両側面に溶接された矩形板状の固定用板３８を貫通して設けられており、継手部材３７は固定用板３８を介して下側外柱部材３５に溶接により固定されている。継手部材３７の周方向の両端部は、タンク半径に応じて少し内側に傾斜して曲げられている。
【００１５】
図２、図４及び図８に示すように、各下側外柱部材３５の上端には、第２のフランジ３９が設けられており、第２のフランジ３９は下側外柱部材３５の内側面３５ａ（内側ガイド枠１２側を向いた面）を除いた面より外側に突出して形成されている。第２のフランジ３９とボルト、ナットを介してねじ結合される第２のフランジ４０を下端に設けた短尺の上側外柱部材４１が取外し可能に取付けられている。上側外柱部材４１の高さ方向の下側にも、下側外柱部材３５と同様、１段の継手部材３７が設けられており、隣り合う上側外柱部材４１同士の継手部材３７を連結部材３６を介してねじ結合するようになっている。タンク半径は一定でも、上側外柱部材４１を取付けた場合と取付けない場合により、タンク高さを変えることによって、海底ケーブル１４の仕様に応じて、タンク容量を調整することができる。なお、下側外柱部材３５及び上側外柱部材４１により外柱部材が構成される。
【００１６】
図２、図４及び図９に示すように、下側外柱部材３５の最上段の継手部材３７の直上には、ラッシング用のアイプレート４２が溶接されている。
図２、図４、図５及び図１０に示すように、下側外柱部材３５の下端に溶接された分割片３４のＨ形鋼のフランジ４５間の外側部には、ラッシング用のアイプレート４３が溶接されており、一方、Ｈ形鋼のフランジ４５間の内側部には、補強リブ４４が溶接されている。海底ケーブル１４の船積み完了後、アイプレート４２、４３を選択して利用することによって、ワイヤー、ターンバックルにより海底ケーブル１４を固縛するようになっている。
【００１７】
図４、図５及び図１１に示すように、下側外柱部材３５の下端に溶接された分割片３４と、この分割片３４と隣接する分割片３４との連結は、分割片３４のＨ形鋼のフランジ４５上面に配置された矩形状の繋ぎ板４６及びフランジ４５の下面にフランジ４５を挟んでウエブ４７の両側に配置された２枚の矩形状の繋ぎ板４８と、さらに、ウエブ４７の両面に配置された一対の繋ぎ板４９とを介してボルト、ナットにより行うようになっている。
【００１８】
図１、図２に示すように、外側ガイド枠１３には、海底ケーブル１４の敷設時にタンク内の海底ケーブル１４を敷設船の甲板上を通して海中に敷設する際、海底ケーブル１４の取り出しをガイドするケーブルラック５０、５１の一部が取外し可能に設けられている。ケーブルラック５０、５１の他部はそれぞれ、作業者が昇降可能で手摺りを備えたタラップ５２、５３に取外し可能に取付けられている。ケーブルラック５０、５１及びタラップ５２、５３同士は勝手違いに構成されている。なお、ケーブルラック５０、５１を設置している他の主要な理由は以下に述べる通りである。海底ケーブル１４（光ケーブル）の総長は１００〜４０００ｋｍに及ぶ非常に長いものであるため、図１に示すように、海底ケーブル１４の途中には（３５〜８０ｋｍに１箇所）、通信レベル増幅等を図る中継器及びジョイントボックス等からなる中継接続箱８４が設けられている。この中継接続箱８４は、工場で海底ケーブル１４と一体製作されているが、この部分は船底１１から巻かれて順次積層される際、ドクロ巻きすることができないので、中継接続箱８４を中心とする一定範囲について、図１に示すように、ケーブルラック５０、５１を利用して、一旦、外側ガイド枠１３の外に出した後、再度、海底ケーブル１４を外側ガイド枠１３内に巻き積層するようになっている。
【００１９】
図１２（Ａ）、（Ｂ）に示すように、ケーブルラック５０（５１も同じ）は、外側ガイド枠１３側の対応する、上側外柱部材４１から取付ブラケット（図示せず）を介して取付けられた一対のパイプ５４、５５とフランジ５６を介して連結されている。フランジ５６に対応するフランジ５７が一端に取付けられた一対のパイプ５８、５９の他端にはフランジ６０が設けられており、フランジ６０に対応するフランジ６１が一端に設けられた一対のパイプ６２、６３とねじ結合されている。一対のパイプ６２、６３の他端に設けられたフランジ６４と、タラップ５２側に設けられた一対のパイプ６５の上端に設けられたフランジ６６とがねじ結合されている。なお、パイプ５８、６２、６３は略（１／４）円弧に形成されており、パイプ５９は略（１／４）楕円弧に形成されている。
【００２０】
一対のパイプ５８、５９間及び一対のパイプ６２、６３間には、周方向に所定の間隔を開けて、海底ケーブルが当接する棒状のラック材６７〜８２が設けられている。さらに、図１２（Ｂ）に示すように、ケーブルラック５０の中央上端部とタラップ５２の上端部との間には、ケーブルラック５０をタラップ５２に強固に固定するための取外し可能な２本の補強部材８３が設けられている。
【００２１】
本実施の形態で使用するリング状枠部材３４ａを図１３の二重リングの外側に示しているが、リング状枠部材３４ａ（タンク半径は約１５ｍ）においては、合計３２の下側外柱部材３５及び上側外柱部材４１が連結されて構成されている。一方、二重リングの内側に示すリング状枠部材３４ｂ（タンク半径は約１３ｍ）においては、合計２８の下側外柱部材３５及び上側外柱部材４１が連結されて構成されている。このように、下側外柱部材３５及び上側外柱部材４１を増減することによってタンク半径を増減することができ、これによりタンク容量を増減することができるようになっている。
【００２２】
次いで、本発明の一実施の形態に係る海底ケーブル敷設船用仮設ケーブルタンク１０を用いた組立作業及び解体作業について、図を参照しながら説明する。なお、海底ケーブル敷設船用仮設ケーブルタンク１０を構成する各部材は、所要数の貨物用コンテナーに梱包されて国内の岸壁にあるものとする。
（組立作業）
（１）組立作業のための段取り、準備を行い、仮設ローリングタワーを岸壁に組み立てる。
【００２３】
（２）貨物用コンテナーから各部材を取り出して、例えば、２組の分割片３４付きの下側外柱部材３５及び上側外柱部材４１を繋ぎ板４６、４８、４９、連結部材３６及び第２のフランジ３９、４０を介して連結したり、内側ガイド枠１２を組み立てたりする等、事前に可能な地上での組立（地組）を行う。この地組によって、船内での組立、組み付け作業の日程が大幅に短縮できる（一例として、７日間が３日間に短縮できる）。
（３）海底ケーブル敷設船用仮設ケーブルタンク１０を適用する傭船が入船、着岸する。
（４）海底ケーブル敷設船用仮設ケーブルタンク１０を設置する据付位置を船底１１にマーキングする。
（５）図１に示すように、事前に組み立てられた内側ガイド枠１２を船内の据付位置に設置する。
【００２４】
（６）２組の下側外柱部材３５及び上側外柱部材４１を連結した１６セットを据付位置に設置する。
（７）図１、図４、図５及び図１１に示すように、隣り合う下側外柱部材３５及び上側外柱部材４１を、下側外柱部材３５が溶接されていない別の分離片３４と繋ぎ板４６、４８、４９及び連結部材３６を介してねじ結合することにより一体構造の外側ガイド枠１３とする。
（８）図１及び図２に示すように、地組されたタラップ５２、５３を据付位置に設置し、次いでケーブルラック５０、５１をタラップ５２、５３及び外側ガイド枠１３に取付ける。
【００２５】
（海底ケーブル１４の取込み作業、移動及び海底ケーブル敷設作業）
（９）海底ケーブル１４の取込み及び巻き込み作業を行う。
（１０）海底ケーブル１４を取込んだ傭船は、例えば、海外に移動する。
（１１）海外にて、ケーブルラック５０、５１を利用して海底ケーブル１４の荷揚げ作業を行う。
（解体作業）
（１２）ケーブルラック５０、５１、タラップ５２、５３を取り出す。
（１３）前記（７）と逆の要領でねじ結合を解除して解体を行う。
【００２６】
（１４）２組の下側外柱部材３５及び上側外柱部材４１を連結した１６セットを搬出する。
（１５）内側ガイド枠１２を搬出する。
（１６）２組の下側外柱部材３５及び上側外柱部材４１を連結した１６セットを地上でさらに解体する。
（１７）各部材の数量をチェックし、確認する。
（１８）部材を結束し、梱包する。
（１９）結束し、梱包された部材を貨物用コンテナーに入れる。
（２０）貨物用コンテナーを別の貨物船により日本に返送する。
【００２７】
本発明は前記した実施の形態に限定されるものではなく、本発明の要旨を変更しない範囲での変更は可能であり、例えば、前記したそれぞれの実施の形態や変形例の一部又は全部を組み合わせて本発明の海底ケーブル敷設船用仮設ケーブルタンクを構成する場合にも本発明は適用される。
前記実施の形態においては、内側ガイド枠１２を、縦方向に４分割したが、これに限定されず、貨物用コンテナーで輸送可能な寸法であれば一体構造でも構わず、また、状況に応じて、縦方向に２、３又は５分割以上とすることもできる。また各内柱部材２３、２４は角部が円弧状の角パイプとしたが、これに限定されず、丸パイプを使用することもできる。さらに、角パイプ又は丸パイプを使用しないで、海底ケーブル１４と接触する角部に円弧状の損傷防止材や軟質材を取付けることもできる。
【００２８】
外柱部材は下側外柱部材３５と上側外柱部材４１とをフランジ接合したが、これに限定されず、例えば、タンク容量を満足すれば、下側外柱部材３５のみとすることもできる。
外側ガイド枠１３のリング状枠部材３４ａの外柱部材は３２本としたが、これに限定されず、１０本以上あれば幾本でも構わない。図１３では、３２本の外柱部材の内、４本を欠落した場合について説明したが、これに限定されず、１〜３本又は５本以上を欠落することもできる。隣り合う各外柱部材の最下部に溶接されている分割片３４の間には別の分割片３４が配置され、それぞれ繋ぎ板４６、４８、４９を介してねじ結合したが、これに限定されず、輸送可能な寸法であれば、別の分割片３４を設けず、その半分を各外柱部材の最下部に溶接されている分割片３４の両側に一体的に設けた構造にすることもできる。
【００２９】
外側ガイド枠１３に海底ケーブル１４の取り出しをガイドするケーブルラック５０、５１を設けたが、これに限定されず、必要に応じて、ケーブルラック５０、５１を省略することもできる。
ケーブルラック５０、５１のパイプ５９を略（１／４）楕円弧に形成したが、これに限定されず、状況に応じて、略（１／４）円弧に形成することもできる。また、ケーブルラックを２個設けたが、これに限定されず、必要に応じて、１個又は３個以上設けても構わない。
内側ガイド枠１２の下端は実際には、底板を介して船底１１に据え付けられており、作業デッキ１２ｂに作業者が乗るため、その安定性を高めることを目的としている。また、リング状枠部材３４ａの下端は基本的に船底１１に当接するようにしているが、船底１１の変形に応じて、分離片３４の下面との間にスペーサープレートを挿入してレベル調整をすることができるようにしている。
ねじ結合に用いるボルト、ナットの材質については言及しなかったが、分解再利用することを目的とするため、高張力のものではなく、一般的なものを使用するのが好ましい。
【００３０】
【発明の効果】
請求項１〜６記載の海底ケーブル敷設船用仮設ケーブルタンクにおいては、貨物用コンテナーに輸送可能な大きさに形成された各部材をねじ結合により組立てて使用でき、使用後はねじ結合を解除して再び貨物用コンテナーにより輸送して搬送し、再使用ができる。従って、素人の作業者でも組立、解体作業に対応でき、かつ、事前にある程度の地組ができるので、作業時間が短縮され、しかも、鋼材をスクラップにすることなく再利用が可能であるため経済的である。また、費用の安い貨物船を使用することができ、極めて経済的である。さらに、船底及び船側壁に溶接固定されていないので、日本海事検定株式会社等の立会検査が省略できる。
【００３１】
特に、請求項２記載の海底ケーブル敷設船用仮設ケーブルタンクにおいては、船内に搬入前に内側ガイド枠の地組ができ、また、使用後、船内から搬出して地上にて解体することができるので、船積み時間に制約されることが少なくなる。
請求項３記載の海底ケーブル敷設船用仮設ケーブルタンクにおいては、タンク高さを調整することができるので、タンク容量を簡単に調整できる。
請求項４記載の海底ケーブル敷設船用仮設ケーブルタンクにおいては、タンク半径を調整することができるので、適用できる傭船が多くなる。
請求項５記載の海底ケーブル敷設船用仮設ケーブルタンクにおいては、外柱部材１本当たりのリング状枠部材の径を大きくすることができるので、少ない部材でタンク容量を大きくできる。
請求項６記載の海底ケーブル敷設船用仮設ケーブルタンクにおいては、海底ケーブルの取り出し作業が容易となるので、作業性が向上する。
【図面の簡単な説明】
【図１】本発明の一実施の形態に係る海底ケーブル敷設船用仮設ケーブルタンクの一部省略平面図である。
【図２】同海底ケーブル敷設船用仮設ケーブルタンクの正面図である。
【図３】（Ａ）、（Ｂ）はそれぞれ、本発明の一実施の形態に係る海底ケーブル敷設船用仮設ケーブルタンクの内側ガイド枠の正面図、平断面図である。
【図４】図２のａ部拡大図である。
【図５】図２の矢視Ａ−Ａ断面図である。
【図６】図４の矢視Ｂ−Ｂ断面図である。
【図７】図６の矢視Ｃ−Ｃ断面図である。
【図８】図４の矢視Ｄ−Ｄ断面図である。
【図９】図４のｂ部詳細図である。
【図１０】図４の矢視Ｅ−Ｅ断面図である。
【図１１】図４の矢視Ｆ−Ｆ断面図である。
【図１２】（Ａ）、（Ｂ）はそれぞれ、同海底ケーブル敷設船用仮設ケーブルタンクのケーブルラックの平面図、側面図である。
【図１３】同海底ケーブル敷設船用仮設ケーブルタンクの外側ガイド枠の外柱部材を欠落した場合とのタンク半径を比較した説明図である。
【符号の説明】
１０：海底ケーブル敷設船用仮設ケーブルタンク、１１：船底、１２：内側ガイド枠、１２ａ：枠本体、１２ｂ：作業デッキ、１３：外側ガイド枠、１４：海底ケーブル、１５〜１８：分割体、１９：上水平部材、２０：下水平部材、２１、２２：第１のフランジ、２３、２４：内柱部材、２５〜２７：内水平部材、２８、２９：第１のフランジ、３０、３１：ブレス材、３２：手摺り、３３：分割デッキ、３４：分割片、３４ａ、３４ｂ：リング状枠部材、３５：下側外柱部材、３５ａ：内側面、３６：連結部材、３７：継手部材、３８：固定用板、３９、４０：第２のフランジ、４１：上側外柱部材、４２、４３：アイプレート、４４：補強リブ、４５：フランジ、４６：繋ぎ板、４７：ウエブ、４８：繋ぎ板、４９：繋ぎ板、５０、５１：ケーブルラック、５２、５３：タラップ、５４、５５：パイプ、５６、５７：フランジ、５８、５９：パイプ、６０、６１：フランジ、６２、６３：パイプ、６４：フランジ、６５：パイプ、６６：フランジ、６７〜８２：ラック材、８３：補強部材、８４：中継接続箱
【図１】
2004040961.tif 000003
【図２】
2004040961.tif 000004
【図３】
2004040961.tif 000005
【図４】
2004040961.tif 000006
【図５】
2004040961.tif 000007
【図６】
2004040961.tif 000008
【図７】
2004040961.tif 000009
【図８】
2004040961.tif 000010
【図９】
2004040961.tif 000011
【図１０】
2004040961.tif 000012
【図１１】
2004040961.tif 000013
【図１２】
2004040961.tif 000014
【図１３】
2004040961.tif 000015